(57)【要約】【課題】使用中にずれ難く、装着しやすい肩用温冷ホルダーを提供する。【解決手段】シート状の本体１０の一方の面にポケット１１を有し、そのポケット１１に、熱媒体が封入された熱保持体２を収容させ、ポケット１１が利用者の肩に当接するよう利用者の肩に装着される肩用温冷ホルダーに、本体を肩に当接させたときに、利用者の腹部及び背部側に位置する縁辺に、利用者が履いているズボンの腰周りの周縁に係止し得る係止具を有する係止帯を設ける。【選択図】図１
2004121619.tif 000002
【特許請求の範囲】
【請求項１】
シート状の本体（１０）の一方の面にポケット（１１）を有し、そのポケット（１１）に、熱媒体が封入された熱保持体（２）を収容させ、ポケット（１１）が、利用者の肩に当接するよう装着される肩用温冷ホルダーにおいて、
本体（１０、２０）を肩に当接させたときに、利用者の腹部側及び背部側に位置する縁辺に、利用者が履いているズボンの腰周りの周縁に係止し得る係止具（１２０、３２０）を有する係止帯（１２、３２）を設けたことを特徴とする上記の肩用温冷ホルダー。
【請求項２】
係止帯（１２、３２）が伸縮性を有する請求項１に記載の肩用温冷ホルダー。
【請求項３】
本体（１０、３０）の、展開時の形状が略台形である請求項１に記載の肩用温冷ホルダー。
【請求項４】
係止帯（１２）が、本体（１０）側の端部側で二股に分岐し、その分岐した先端がそれぞれ本体に固定される請求項１ないし３のいずれか１項に記載の肩用温冷ホルダー。
【請求項５】
係止帯の係止具（３２０）が面状ファスナであって、係止帯（３２）の先端を、その係止帯（３２）の中程に係着し得る面状ファスナを設けた請求項１ないし３のいずれか１項に記載の肩用温冷ホルダー。
【請求項６】
熱保持体（２）が収容されるポケット（１１）が、本体（１０）の一方の面の略全面を覆うよう設けられ、その開口が、本体（１０）の中央側に設けられた請求項１ないし５にいずれか１項に記載の肩用温冷ホルダー。
【請求項７】
本体（１０）を利用者の肩に当接させたときに、利用者の首側及び腕側に位置する縁辺に沿って、その周縁に沿った方向に伸縮し得る伸縮部（１０ａ、１０ｂ）が設けられた請求項１ないし６のいずれか１項に記載の肩用温冷ホルダー。
【発明の詳細な説明】
【０００１】
【発明の属する技術分野】
本発明は、肩周辺を温めたり、冷やしたりする際に用いる肩用温冷ホルダーに関する。
【０００２】
【従来の技術】
肩を使う激しいスポーツの後や、肩のスポーツ障害、肩の打撲、肩痛、肩の冷えの際には、ダメージの軽減や症状の緩和を図るため、肩を温めたり、冷やしたりする必要がある。
特に、スポーツ後のアイシングは、筋肉に対するダメージの軽減及び回復促進に非常に優れた効果を奏する。
このようなアイシングには、氷嚢やアイスパックを装着したホルダーが用いられる。
【０００３】
従来のホルダーには、その端縁などに面状ファスナが設けられており、アイスパック等が装着されたホルダーを肩や体躯に巻き付け、その端縁を重ね合わせて面状ファスナを係着させ、肩に装着していた。
しかしながら、ホルダーが肩や体躯に巻き付けられているため、肩や体を動かすと、アイスパック等の重みによって、アイスパック等の装着位置がずり落ちやすいという問題があった。
また、面状ファスナは、意図した位置に係着させることが難しく、所望の位置にきっちりと装着させることが難しいという問題があった。
【０００４】
【発明が解決しようとする課題】
本発明は上記の問題を解決するためになされたものであり、その目的は、使用中にずれ難く、装着しやすい肩用温冷ホルダーを提供することにある。
【０００５】
【課題を解決するための手段】
上記の目的は、シート状の本体の一方の面にポケットを有し、そのポケットに、熱媒体が封入された熱保持体を収容させ、ポケットが肩に当接するよう利用者の肩に装着される肩用温冷ホルダーに、本体を肩に当接させたときに、利用者の腹部及び背部側に位置する縁辺に、利用者が履いているズボンの腰周りの周縁に係止し得る係止具を有する係止帯を設けることによって達成される。
【０００６】
このとき、係止帯には、伸縮性のベルトを使用することが推奨される。
また、本体は、その展開時の形状を略台形とすることが推奨される。
また、係止帯の、本体側の端部側を二股に分岐させ、その分岐させた先端をそれぞれ本体に固定させるようにしてもよい。
熱保持体が収容されるポケットを、本体の一方の面の略全面を覆うように設け、その開口を本体の中央側に設けてもよい。
また、本体を肩にと右折させたときに、利用者の首側及び腕側に位置する縁辺に沿って、その周縁に沿った方向に伸縮し得る伸縮部を設けてもよい。
【０００７】
【発明の実施の形態】
以下、図面により、本発明を詳細に説明する。
図１は本発明に係る肩用温冷ホルダーの第一実施例を示す説明図、図２は図１に示した実施例の使用状態を示す説明図、図３は本発明に係る肩用温冷ホルダーの第二実施例の使用状態を示す説明図である。
まず、図１及び図２に基づき、第一実施例について説明する。
図中、１は本発明に係る肩用温冷ホルダー、１０は本体、１０ａ、１０ｂは伸縮部、１１はポケット、１１ａは開口、１２は係止帯、１２０は係止具、２は熱保持体である。
【０００８】
本体１０は、平面状に展開したときに略台形のシート状のものである。
本体１０の底辺及び上辺側の端縁に沿って、伸縮部１０ａ及び１０ｂが設けられる。
この伸縮部１０ａ及び１０ｂは、伸縮ベルトを本体１０に取り付けることによって形成される。
この伸縮部１０ａ及び１０ｂは、図中では、伸びている状態であるが、実際には、その長さ方向に沿って縮むものである。
従って、伸縮部１０ａ及び１０ｂが設けられている辺縁は、辺縁の中央方向に縮んでいる。
【０００９】
また、この本体１０の片面の略全面には、複数のポケット１１が設けられる。
このポケット１１は、略台形状の本体１の高さ方向に沿って細長い、長尺矩形状のものであって、４室並列するよう配される。
また、このポケット１１の開口１１ａは、各ポケット１１の中央部分に、短辺と平行に直線状に設けられる。
【００１０】
係止帯１２は、本体１０の斜辺部分にそれぞれ設けられる。
この係止帯１２は、本体１側の端部が二股に分岐し、その分岐した先端が、本体１０の斜辺部分の両端近傍にそれぞれ取り付けられる。
また、係止帯１２の先端には、係止具１２０が設けられる。
この係止具１２０は、ズボンやトレーニングウェアなどのズボンの腰周りの周縁に挟んで係止するタイプのズボン吊りなどに利用されている金具である。
熱保持体２は、ポケット１２０に収容し得る長尺矩形状のものであり、樹脂シートで構成された袋の内部にゲル状の熱媒体を封入したものである。
【００１１】
この肩用温冷ホルダー１を使用するときには、４個の熱保持体２を冷却又は加温しておき、これをポケット１２０内に１個ずつ収納させる。
次に、肩用温冷ホルダー１を、その上辺側が首に近接するよう片方の肩にかぶせ、係止帯１２を引っ張って、その係止具１２０を前後ともズボンの腰周りの周縁に係止させる。
この肩用温冷ホルダー１を使用する場合、係止帯１２の係止具１２０を簡単に所望の位置に取り付けることができ、また、係止具１２０の係止位置の変更も簡単にできるので、係止帯１２の張力を容易に調整できる。
また、伸縮部１０ａ、１０ｂのため、肩用温冷ホルダー１の縁辺が、首よりの肩、及び、腕に密着する。
【００１２】
従って、この肩用温冷ホルダー１は、利用者の肩にしっかりと装着することができ、また、伸縮部１０ａ、１０ｂの作用で、係止帯１２が設けられていない辺縁も、肩周辺に密着し、使用中に体や腕を動かしてもずれることがない。
さらに、この肩用温冷ホルダー１を装着したとき、熱保持体２を収容するポケット１１の開口が、上方を向くため、使用中に熱保持体２がポケット１１から外方に滑り落ちる恐れもない。
【００１３】
次に、図３に基づき、第二実施例について説明する。
図中、３は本発明に係る肩用温冷ホルダー、３０は本体、３２は係止帯、３２０は係止具である。
この第二実施例の主要構成は第一実施例と同様であるので、相違点を中心に説明する。
係止具３２０は、係止帯３２の先端側に設けられる面状ファスナであり、その面状ファスナは、その先端を、係止帯３２の中程に係着し得るよう設けられている。
この係止帯３０を係止させるときには、その先端を利用者のズボンのベルト又はベルト通しなどに巻きかけ、係止帯３２の中程の面状ファスナに、その先端の面状ファスナを係着させればよい。
【００１４】
なお、本発明は上記の実施例に限定されるものではない。
例えば、係止具が取り付けられるズボンとは、スラックス、パンツ、ジャージや短パン、スカートなど、履いて着用する下肢用の着衣全てを示すものである。
また、係止具が取り付けられるズボンの腰周りの周縁とは、単にズボンの周縁だけではなく、ズボンに取り付けられたベルトや、ズボンの周縁付近に取り付けられている付属品も含むものである。
【００１５】
また、係止具も、ズボンの周縁に着脱可能に簡単に取り付けられるものであればどのようなものであってもよく、さらに、係止帯には、長さを調節する調整装置を設けるようにしてもよい。
また、係止帯は、その一部に伸縮性の素材を用いてもよく、また、本体にある程度の伸縮性があり、装着時にずれる恐れがない場合には、係止帯に伸縮性はなくてもよい。
【００１６】
また、上記の実施例では、本体の形状を略台形としたが、例えば略矩形状や楕円状などのように、肩にかぶせ得る形状であればどのようなものであってもよい。
また、係止帯は、本体側で二股に分岐しない一本のベルトでも、また、三股以上に分岐していてもよく、また、その係止具側の短部を二股以上に分岐させてもよい。
また、上記の実施例では、係止帯は、本体の両側に１本づつ、計２本設けられているが、３本以上設けてもよい。
また、係止帯の形状は、本体に接続される側が幅広く、係止具に向かって徐々に幅が狭くなるものとしてもよく、この場合、この係止帯全体を伸縮性に富む素材で構成することが推奨される。
【００１７】
また、熱保持体が収容されるポケットの配置、形状、数、開口の形状等は、使用時に、熱媒体を利用者の肩にポケットの生地を挟んで当接させ得るよう、熱媒体を本体の所定の位置に保持できるものであればどのようなものであってもよい。
また、本体に設けられる伸縮部は設けなくてもよく、また、本体全体又は一部に伸縮性を設けるようにしてもよい。
また、熱保持体としては、保冷材及び保温材として兼用できるものであっても保温又は保温のいずれか一方の機能しかないものを使用しても構わない。
【００１８】
また、この熱保持体には、使い捨ての冷却パックや保温パックを用いても、予冷又は予熱したものを用いるものであってもよい。
また、熱保持体に封入される熱媒体としては、ゲル状のもの以外のもの、例えば、粒状、液状などどのようなものであってもよい。
【００１９】
【発明の効果】
本発明は、上記のように構成されるので、本発明によるときは、使用中にずれたり外れたりしないよう容易に装着でき、簡単かつ確実に肩を冷やしたり、温めたりすることができる。
【図面の簡単な説明】
【図１】本発明に係る肩用温冷ホルダーの第一実施例を示す説明図である。
【図２】図１に示した実施例の使用状態を示す説明図である。
【図３】本発明に係る肩用温冷ホルダーの第二実施例の使用状態を示す説明図である。
【符号の説明】
１　　　　肩用温冷ホルダー
１０　　　本体
１０ａ　　伸縮部
１０ｂ　　伸縮部
１１　　　ポケット
１１ａ　　開口
１２　　　係止帯
１２０　　係止具
２　　　　熱保持体
３　　　　肩用温冷ホルダー
３０　　　本体
３２　　　係止帯
３２０　　係止
【図１】
2004121619.tif 000003
【図２】
2004121619.tif 000004
【図３】
2004121619.tif 000005